(57)【特許請求の範囲】
【請求項１】
主面に接続端子としての導電性バンプを備える半導体チップの裏面を弾性を有するフィルムを介して吸気孔を備える吸着ツールにより吸着して前記半導体チップを保持する工程と、
前記導電性バンプに対応する接続配線を備える基板に対して前記半導体チップを位置決めして前記導電性バンプと前記接続配線とが接続するように前記半導体チップを前記基板に載置する工程と、
前記吸着ツールにより前記半導体チップを前記基板に対して付勢しつつ前記吸着ツールから前記フィルムを介して前記半導体チップに超音波振動を与えて前記導電性バンプと前記接続配線とを接合する工程と
を有し、
前記フィルムが１０〜５０μｍの厚さの樹脂性フィルムである、
超音波振動を用いた半導体チップの実装方法。
【請求項２】
前記吸着ツールにより前記フィルムを介して前記半導体チップを吸着するに際し、前記フィルムにおける前記吸着ツールの吸気孔に対応する位置に孔を開ける工程を更に有する、請求項１に記載の超音波振動を用いた半導体チップの実装方法。
【請求項３】
主面に接続端子としての導電性バンプを備える半導体チップを前記導電性バンプに対応する接続配線を備える基板に対して位置決めして前記導電性バンプと前記接続配線とが接続するように前記半導体チップを前記基板に載置する工程と、
押圧部材により前記半導体チップを当該半導体チップの裏面側から弾性を有するフィルムを介して前記基板に対して付勢しつつ前記押圧部材から前記フィルムを介して前記半導体チップに超音波振動を与えて前記導電性バンプと前記接続配線とを接合する工程と、
を有し、
前記フィルムが１０〜５０μｍの厚さの樹脂性フィルムである、
超音波振動を用いた半導体チップの実装方法。
【請求項４】
前記フィルムは長尺形状を有し、新たな半導体チップを実装する毎に前記フィルムの未使用の領域が前記吸着ツールと前記半導体チップの裏面との間に供給される、請求項１、２又は３に記載の超音波振動を用いた半導体チップの実装方法。
【請求項５】
前記導電性バンプと前記接続配線とを接合する工程は、前記フィルムに一定の張力を与えながら行われる、請求項１、２、３又は４に記載の超音波振動を用いた半導体チップの実装方法。
【請求項６】
前記導電性バンプと前記接続配線とを接合する工程は、前記基板に対して熱を与えながら行われる、請求項１、２、３、４又は５に記載の超音波振動を用いた半導体チップの実装方法。
【請求項７】
前記超音波振動が０．５〜１．５μｍの移動距離である、請求項１、２、３、４、５又は６に記載の超音波振動を用いた半導体チップの実装方法。
【請求項８】
前記フィルムはフッ素樹脂を用いたフィルムである、請求項１、２、３、４、５、６又は７に記載の超音波振動を用いた半導体チップの実装方法。
【請求項９】
前記フィルムは直鎖型ポリイミド樹脂を用いたフィルムである、請求項１、２、３、４、５、６又は７に記載の超音波振動を用いた半導体チップの実装方法。
【発明の詳細な説明】
【０００１】
【発明の属する技術分野】
本発明は、超音波振動を用いて半導体チップを基板上へ実装するための方法に関する。
【０００２】
【従来の技術】
半導体チップを基板上へ実装するための方法として、フリップチップ実装と呼ばれる方法が広く採用されている。フリップチップ実装では、半導体チップの回路が形成された面（以下、主面という）上に、接続端子としての複数の導電性バンプ、主として金バンプを備えたものを、フェイスダウン、すなわち主面を基板側にして、各導電性バンプを直接基板上の配線に接合する。フリップチップ実装において、前記導電性バンプを基板上の配線に接合する方法として、従来から、超音波熱圧着法と呼ばれる方法が広く知られている。
【０００３】
超音波熱圧着法では、真空吸着ツールにより半導体チップを吸着し、これを基板上に形成された配線のバンプ搭載領域上に配置する。金バンプの配線上への接合に際し、吸着ツールにより半導体チップに一定の押圧力を加えると共に、基板側を加熱する。この状態で、該吸着ツールを介して半導体チップに、所定周波数の超音波振動を与える。前記押圧力、熱及び超音波による振動によって、半導体チップ上の各金バンプは、基板上のランドに良好に接合される。
【０００４】
【発明が解決しようとする課題】
前記吸着ツールを介した超音波振動のエネルギーを、導電性バンプに効率的に伝えるためには、吸着ツールと半導体チップとの真空吸着による一体性が重要である。しかしながら、吸着ツールの吸着面とこれに当接される半導体チップの裏面との間に、該チップの面の加工状態などに起因して、微細な隙間が生じることがあり、その吸着力が低下することがある。該吸着力の低下は、金バンプへの超音波振動のエネルギーを低下させるだけでなく、別の問題を引き起こす。
【０００５】
すなわち、吸着ツールによる吸着力が低下すると、該ツールに与えられた超音波振動に半導体チップが追随できなくなり、吸着ツールの先端が半導体チップの裏面を摩擦により削り取ってしまうという問題がある。削り取られた微細なシリコン屑の幾らかは、半導体チップの裏面に付着し、そのまま基板に実装され、延いては装置に組み込まれる可能性がある。
【０００６】
また、前述したような吸着力の低下が生じない場合においても、導電性バンプが基板上の配線上に固定され又は固定される直前になると、吸着ツールの振動に半導体チップが追随しなくなる。このような場合にも、前記チップの削れの問題が発生する。
【０００７】
半導体チップに付着した削り屑は、該半導体チップが用いられる用途によっては、深刻な問題を引き起こす可能性がある。例えば、ハードディスク装置の筐体内で、そのアクチュエータ上に実装されるプリアンプ用のベアチップがある。磁気ディスクの回転に伴う振動によって、半導体チップに付着した前記削り屑（これらは、０．１〜５μｍ程度の大きさを有する）は、装置内部を飛翔し、最終的にディスク上に落ちる。ディスク面に対する磁気ヘッドの浮上高は５０ｎｍ以下であるので、ディスク上の前記削り屑は、ハードディスク装置の機能に深刻な影響を与える。
【０００８】
従って、本発明の目的は、超音波熱圧着法を用いて半導体チップを基板へ実装する際に、前記半導体チップの削れ屑の発生を防止し、該半導体チップを装置へ搭載する際の該削れ屑に起因する前記問題を解消することにある。
【０００９】
【課題を解決するための手段】
本発明の超音波振動を用いた半導体チップの実装方法は、主面に接続端子としての導電性バンプを備える半導体チップの裏面を弾性を有するフィルムを介して吸気孔を備える吸着ツールにより吸着して前記半導体チップを保持する工程と、前記導電性バンプに対応する接続配線を備える基板に対して前記半導体チップを位置決めして前記導電性バンプと前記接続配線とが接続するように前記半導体チップを前記基板に載置する工程と、前記吸着ツールにより前記半導体チップを前記基板に対して付勢しつつ前記吸着ツールから前記フィルムを介して前記半導体チップに超音波振動を与えて前記導電性バンプと前記接続配線とを接合する工程とを有する。
【００１０】
また、前記実装方法は、前記吸着ツールにより前記フィルムを介して前記半導体チップを吸着するに際し、前記フィルムにおける前記吸着ツールの吸気孔に対応する位置に孔を開ける工程を有するものでも良い。
【００１１】
また、本発明の超音波振動を用いた半導体チップの実装方法は、主面に接続端子としての導電性バンプを備える半導体チップを前記導電性バンプに対応する接続配線を備える基板に対して位置決めして前記導電性バンプと前記接続配線とが接続するように前記半導体チップを前記基板に載置する工程と、押圧部材により前記半導体チップを当該半導体チップの裏面側から弾性を有するフィルムを介して前記基板に対して付勢しつつ前記押圧部材から前記フィルムを介して前記半導体チップに超音波振動を与えて前記導電性バンプと前記接続配線とを接合する工程とを有する。
【００１２】
前記各実装方法において、前記フィルムは長尺形状を有し、新たな半導体チップを実装する毎に前記フィルムの未使用の領域が前記吸着ツールと前記半導体チップの裏面との間に供給されることが好ましい。
【００１３】
また、前記導電性バンプと前記接続配線とを接合する工程は、前記フィルムに一定の張力を与えながら行われることが好ましい。該張力により、吸着ツール（押圧部材）と半導体チップの一体性がより高まり、超音波振動のエネルギーの伝達効率が向上する。
【００１４】
また、前記導電性バンプと前記接続配線とを接合する工程は、前記基板に対して熱を与えながら行われることが好ましい。
【００１５】
更に、前記フィルムは１０〜５０μｍの厚さの樹脂性フィルムであることが好ましく、その素材としてはフッ素樹脂又は直鎖型ポリイミド樹脂が好ましい。
【００１６】
【発明の実施の形態】
以下、本発明の実施形態を図面に沿って説明する。本実施形態に係る半導体チップの実装方法においては、図１に示すような吸着ツールを用いる。吸着ツール１０は、フリップチップボンディング装置等の、半導体チップの基板への実装を実現するための装置における一構成部分である。
【００１７】
吸着ツール１０は、その先端が半導体チップへの吸着面１１ａとされる吸着ノズル１１を有する。吸着ノズル先端の吸気孔を通した吸引力によって、該吸着面１１ａに半導体チップを真空吸着する。吸着ノズル１１の途中には、超音波振動を付与するための超音波ホーン１２が接続される。超音波ホーン１２は、特定周波数により吸着ノズル１１に水平方向の振動を所定期間与える。該振動により吸着ノズル１１の先端、延いてはここに真空吸着された半導体チップが水平方向に微少振動される。後述するように、この振動、押圧力及び熱により、半導体チップは基板上に接合される。
【００１８】
図１には示されていないが、本発明は、その実施に際し、更に弾性フィルム及びその供給装置を用いる。弾性フィルムは、リールに巻き取られた長尺のテープ状に構成される。弾性フィルムは、前記吸着ノズル１１を介して半導体チップに超音波振動を与える際に、吸着ノズルの吸着面１１ａと半導体チップとの間に介在される。弾性フィルムを介在させることによって、半導体チップが直接吸着ノズルに接触することが回避され、吸着面１１ａにより半導体チップの裏面が削り取られることが防止される。
【００１９】
一方で、弾性フィルムは、吸着ノズル１１に与えられる振動のエネルギーを効率的に半導体チップ側へ伝達できるものでなければならない。前記振動のエネルギーを効率的に伝達する上で、弾性フィルムは、その厚さ及び吸着ノズルと半導体チップとを一体にする密着性が重要である。また、前記振動に対する強度及び耐熱性が必要である。これらの要求を満たすものとして発明者らの実験により確かめられた弾性フィルムの厚さは、１０〜５０μｍの範囲のものである。なお、超音波振動による吸着ノズルの移動距離は、０．５〜１．５μｍ程度である。また、その材質として、フッ素樹脂（弾性率：約１．７ＭＰａ）及び直鎖型ポリイミド樹脂（弾性率：約６３７０ＭＰａ）が好適であった。
【００２０】
弾性フィルムの供給装置は、前記リールに巻き取られたテープ状のフィルムを、吸着ノズルの吸着面１１ａの前方に配置するよう装置に実装される。供給装置は、半導体チップを基板上に実装する工程が開始される度に、フィルムの新しい面が前記吸着面１１ａの前方に供給されるよう、前記リールを駆動する。供給装置の具体的な構成によって本発明は限定されることはないが、好ましい実施態様において、供給装置は前記吸着ツール１０に固定されるものである。
【００２１】
次に、本発明の一実施形態における半導体チップの実装の工程を、図２並びに図３及び図４に沿って順次説明する。図２は、一実施形態における半導体チップの実装方法を示すフローチャートであり、図３及び図４に示された工程（Ａ）〜（Ｆ）は、図２における各工程に対応した工程図である。最初の工程１０１で、供給装置が駆動され、そのリールによってフィルム３０が巻き取られ、その新しい面が吸着ノズル１１の吸着面１１ａの前方に供給される（工程（Ａ））。吸着ノズル１１は、その前方にフィルム３０を伴った状態で、穿孔ツール３１の設置位置へ移送される。穿孔ツール３１は、先端が鋭利にされたニードルピンを含み、これにより吸着ノズルの吸着孔１１ｂに対応するフィルム３０の位置に孔を開ける。すなわち、工程１０２において、吸着ノズル１１又は穿孔ツール３１の何れかが相対的に移動され、フィルム３０に孔を開ける（工程（Ｂ））。この場合に、孔開け後のフィルムの位置が、吸着面１１ａに対し相対的にずれないように、吸着面１１ａにフィルム３０を接触させ、またフィルムに一定の張力を与えることが好ましい。
【００２２】
次の工程１０３で、吸着ノズル１１を半導体チップ３２の供給位置まで移動し、吸着ツールを起動して半導体チップ３２を真空吸着する（工程（Ｃ））。吸着ノズル１１と半導体チップ３２との間には、フィルム３０が介在されるが、先の工程で開けられたフィルム３０の孔を通して、吸着ツールの吸着力が半導体チップ３２に伝えられる。この結果、半導体チップ３２の吸着を可能とする一方で、吸着面１１ａが直接半導体チップ３２に接触することが回避される。
【００２３】
次の工程１０４で、吸着ノズル１１に吸着した半導体チップ３２を、それが実装される基板３３上へ搬送し、ここに位置決めする（図４における工程（Ｄ））。すなわち、基台３４上に固定された基板３３の配線３３ａに、半導体チップ３２の金バンプ３２ａを位置合わせし、これらを接触させるべく吸着ノズル１１を下降する。この時に、吸着ノズル１１は所定の押圧力により、半導体チップ３２を基板３３に向けて押圧する。ここで、基板３３は所定の温度に加熱されている。一つの実施例で基板３３は、ハードディスク装置のアクチュエータ基板である。また、基板３３は、半導体チップと共にパッケージ内に封止されるものであっても良い。
【００２４】
工程１０５において、この状態で、吸着ノズル１１を介して半導体チップ３２に、所定時間、超音波振動が与えられる（工程（Ｅ））。該超音波振動、吸着ノズル１１の押圧力及び基板３３に与えられた熱により、金バンプ３２ａは溶融し、基板３３上の配線３３ａに接合される。前記フィルム３０を介在させることにより、該振動を与えたときに半導体チップ３２の裏面が削れることがない。また、超音波振動により与えられる吸着ノズルの移動距離（０．５〜１．５μｍ程度）に対して、フィルム３０の同方向における弾性変形量は十分に大きいので（フィルムの厚さは１０μｍ以上）、半導体チップ３２が基板３３に対し接合されて移動できなくなった場合でも、該変形により吸着ノズルと半導体チップのずれを吸収することができる。本工程において、好ましくはフィルム３０に一定の張力を与える。工程１０５において半導体チップ３２の基板３３への接合が達成されると、工程１０６において、吸着ノズル１１は引き上げられ、処理が完了する（工程（Ｆ））。
【００２５】
次に、本発明の他の実施形態における半導体チップの実装の工程を、図５並びに図６〜図８に沿って順次説明する。図５は、本実施形態における半導体チップの実装方法を示すフローチャートであり、図６〜図８に示された工程（Ａ）〜（Ｇ）は、図５における各工程に対応した工程図である。本実施形態における半導体チップの実装工程は、先の実施形態と異なり、フィルムに孔を開ける工程を含まない。
【００２６】
最初の工程５０１で、吸着ノズル１１を半導体チップ３２の供給位置まで移動し、吸着ツールを起動して半導体チップ３２を真空吸着する（図６の工程（Ａ））。先の実施形態と異なり、ここではフィルムを間に介在させない。次の工程５０２で、吸着ノズル１１に吸着した半導体チップ３２を、それが実装される基板３３上へ搬送し、ここに位置決めする（工程（Ｂ））。すなわち、前記実施形態同様、基台３４上に固定された基板３３の配線３３ａに、半導体チップ３２の金バンプ３２ａを位置合わせし、これらを接触させるべく吸着ノズル１１を下降する。次に、工程５０３において、吸着ノズル１１による半導体チップ３２の吸着を中止し、半導体チップ３２を基板３３上に置いて、一旦、吸着ノズル１１を引き上げる（工程（Ｃ））。
【００２７】
次に、工程５０４において、半導体チップ３２の上方で、フィルム３０を吸着ノズル１１の前方に位置させる（図７の工程（Ｄ））。次いで、工程５０５において、再度吸着ノズル１１を半導体チップ３２の位置まで下降させる（工程（Ｅ））。このとき、前記供給したフィルム３０が、吸着ノズル１１と半導体チップ３２との間に介在され、これらが直接接触することが回避される。吸着ノズル１１は所定の押圧力により、半導体チップ３２を基板３３に向けて押圧する。また、基板３３は所定の温度に加熱される。
【００２８】
工程５０６において、この状態で、吸着ノズル１１を介して半導体チップ３２に、所定時間、超音波振動が与えられる（図８の工程（Ｆ））。該超音波振動、吸着ノズル１１の押圧力及び基板３３に与えられた熱により、金バンプ３２ａは溶融し、基板３３上の配線３３ａに接合される。工程５０６において半導体チップ３２の基板３３への接合が達成されると、工程５０７において、吸着ノズル１１は引き上げられ、処理が完了する（工程（Ｇ））。ここで供給装置が駆動され、そのリールによってフィルム３０が巻き取られ、次の半導体チップの実装のために、その新しい面が吸着ノズル１１の吸着面１１ａの前方に供給される。
【００２９】
【実施例】
前記図５に従う実施形態に沿って、本発明の実装方法を、弾性フィルムを用いない従来の方法と比較した。従来の方法に対する条件を表１のように調整した。ここで用いた弾性フィルムは、３０μｍ厚のフッ素樹脂フィルム及び５０μｍ厚の直鎖型ポリイミド樹脂フィルムである。
【００３０】
【表１】
0004338834.tif 000002
【００３１】
この結果、何れの弾性フィルムにおいても、従来と同様の接合強度を確保した上で、半導体チップの削れによる屑の発生が完全に回避できた。
【００３２】
以上、本発明の実施形態及び実施例を図面に沿って説明した。本発明の適用範囲が、前記実施形態及び実施例において示した事項に限定されないことは明らかである。実施形態においては、弾性フィルムを長尺のテープ状としたものを用いた例を示したが、その形状はこれに限定されず、シート状その他のものであって良い。本発明に係る方法により基板上に実装される半導体チップは、その導電性バンプとして金以外の組成のもの、例えば熱可塑性の導電性樹脂であって良い。この導電性バンプは、半田でも良い。また、予め半導体チップ吸着用の孔を設けたフィルムを用いて、半導体チップを吸着ノズルで吸着するようにしても良い。
【００３３】
また、半導体チップと基板との間に、異方性導電フィルムやペーストを介在させて接合を行う構成のものにおいても、本発明は有効である。従来、異方性導電ペーストを用いた接合を行う場合、基板上に半導体チップを配置した際に、チップの周囲に押し出されたペーストが上方（半導体チップの裏面側）に回り込み、吸着ノズルに付着するという問題があった。本発明に係る弾性フィルムを用いた場合、該フィルムが壁となり、吸着ノズルへペーストが付着することが回避されるという副次的効果が得られる。
【００３４】
【発明の効果】
以上の如く本発明によれば、超音波熱圧着法を用いて半導体チップを基板へ実装する際に、前記半導体チップの削れ屑の発生を防止し、該半導体チップを装置へ搭載した際の該削れ屑に起因する前記問題を解消することができる。
【図面の簡単な説明】
【図１】本発明の実施に際し用いられる吸着ツールの一例を示す斜視図である。
【図２】本発明の一実施形態における半導体チップの実装方法を示すフローチャートである。
【図３】図２における各工程に対応した工程図である。
【図４】図２における各工程に対応した工程図である。
【図５】本発明の他の実施形態における半導体チップの実装方法を示すフローチャートである。
【図６】図５における各工程に対応した工程図である。
【図７】図５における各工程に対応した工程図である。
【図８】図５における各工程に対応した工程図である。
【符号の説明】
１０  吸着ツール
１１  吸着ノズル
１１ａ  吸着面
１１ｂ  吸着孔
１２  超音波ホーン
３０  フィルム
３１  穿孔ツール
３２  半導体チップ
３２ａ  金バンプ
３３  基板
３３ａ  配線
３４  基台
【図１】
0004338834.tif 000003
【図２】
0004338834.tif 000004
【図３】
0004338834.tif 000005
【図４】
0004338834.tif 000006
【図５】
0004338834.tif 000007
【図６】
0004338834.tif 000008
【図７】
0004338834.tif 000009
【図８】
0004338834.tif 000010